(57)【要約】【課題】力の弱い乳幼児であっても、シート部を容易に揺動させることのできるバウンサーを提供する。【解決手段】シート部１を支持部２で弾性的に支持したバウンサーにおいて、シート部１の下部に支持部２に固定される足蹴り台３を設ける。また、足蹴り台３は、支持部２に固定される土台部３０と、土台部３０に固定される足蹴り板３１とを有し、足蹴り板３１は、傾斜状に配置されるシート部１の上方に向かって面する上面３１ａを備える。【選択図】図１
2017000529.tif 000002
【特許請求の範囲】
【請求項１】
シート部を支持部で弾性的に支持したバウンサーにおいて、
前記シート部の下部に前記支持部に固定される足蹴り台を設けたことを特徴とするバウンサー。
【請求項２】
前記足蹴り台は、前記支持部に対し脱着自在に固定されることを特徴とする請求項１記載のバウンサー。
【請求項３】
前記足蹴り台は、傾斜状に配置される前記シート部の上方に向かって面する上面を備えた足蹴り板を有することを特徴とする請求項１または２記載のバウンサー。
【請求項４】
前記足蹴り台は、前記支持部に固定される土台部と、該土台部に固定される足蹴り板とを有することを特徴とする請求項１〜３のいずれか１項に記載のバウンサー。
【請求項５】
前記足蹴り板は、長孔状のスライド部を有する支持部材を介して前記土台部に固定されることを特徴とする請求項４記載のバウンサー。
【請求項６】
前記足蹴り板は、前記スライド部に挿通されるネジ部材により前記土台部に固定されることを特徴とする請求項５記載のバウンサー。
【発明の詳細な説明】
【技術分野】
【０００１】
本発明は、揺動可能なシート部を有する乳幼児用のバウンサーに関する。
【背景技術】
【０００２】
バウンサーは、乳幼児用の揺動可能な椅子であり、床などに載置する支持部によって、乳幼児が座るシート部を弾性的に支持して構成されている。シート部に座った乳幼児が体を動かすことで、シート部が支持部に対して揺動する。乳幼児は体を揺らされることを好むので、親などが乳幼児を抱いて体を揺らすのに代えて、バウンサーを用いることがある。
【０００３】
バウンサーとして一般的なものは、例えば特許文献１に示すようなものがあり、これは、フレーム状に形成された支持部の一端部にシート部が支持されており、シート部は、周囲がフレーム状の枠部品によって形成され、この枠部品に囲まれた領域に、乳幼児の体を支持できるようにクッション材や布材が張られている。布材としては、通気性向上のため、メッシュ状の布がよく用いられる。
【先行技術文献】
【特許文献】
【０００４】
【特許文献１】特許第５１１３１６７号公報
【発明の概要】
【発明が解決しようとする課題】
【０００５】
乳幼児、特にまだ立って歩くことのできない乳児は、体の力が弱く、自分の体の動きによってシート部を揺動させることが難しい。シート部の支持部に対する弾性率を小さくすることで、シート部の動きを大きくすることはできるが、その場合、乳児が成長して力が強くなった際に、シート部の揺動が大きくなりすぎてしまう。
【０００６】
本発明は前記課題を鑑みてなされたものであり、力の弱い乳幼児であっても、シート部を容易に揺動させることのできるバウンサーを提供することを目的とする。
【課題を解決するための手段】
【０００７】
前記課題を解決するため、請求項１の発明に係るバウンサーは、シート部を支持部で弾性的に支持したバウンサーにおいて、
前記シート部の下部に前記支持部に固定される足蹴り台を設けたことを特徴として構成されている。
【０００８】
請求項１に係る発明によれば、シート部に座った乳幼児が、足を足蹴り台に置いてこれを蹴ることで、シート部を容易に揺動させることができる。
【０００９】
また、請求項２の発明に係るバウンサーは、前記足蹴り台は、前記支持部に対し脱着自在に固定されることを特徴として構成されている。
【００１０】
請求項２に係る発明によれば、足蹴り台を支持部から取り外すことができるので、乳幼児の成長に伴い、足蹴り台が不要となった際にはバウンサーから足蹴り台を取り外し、引き続きバウンサーを使用することができる。
【００１１】
さらに、請求項３の発明に係るバウンサーは、前記足蹴り台は、傾斜状に配置される前記シート部の上方に向かって面する上面を備えた足蹴り板を有することを特徴として構成されている。
【００１２】
請求項３に係る発明によれば、シート部に座った乳幼児が自然な体勢で足蹴り板に足を置くことができる。
【００１３】
さらにまた、請求項４の発明に係るバウンサーは、前記足蹴り台は、前記支持部に固定される土台部と、該土台部に固定される足蹴り板とを有することを特徴として構成されている。
【００１４】
請求項４に係る発明によれば、土台部と足蹴り板をそれぞれ設けることで、足蹴り板を土台部に対して調整可能な構造とすることができる。
【００１５】
そして、請求項５の発明に係るバウンサーは、前記足蹴り板は、長孔状のスライド部を有する支持部材を介して前記土台部に固定されることを特徴として構成されている。
【００１６】
請求項５に係る発明によれば、スライド部の長手方向に沿って足蹴り板を土台部に対してスライドさせ、位置調整することができる。
【００１７】
また、請求項６の発明に係るバウンサーは、前記足蹴り板は、前記スライド部に挿通されるネジ部材により前記土台部に固定されることを特徴として構成されている。
【００１８】
請求項６に係る発明によれば、ネジ部材を中心にして、スライド部をスライド調整することができると共に、足蹴り板の角度調整も行うことができる。
【発明の効果】
【００１９】
本発明に係るバウンサーによれば、シート部に座った乳幼児が、足蹴り台を足で蹴ることで容易にシート部を揺動させることができ、快適にバウンサーを使用することができる。ひいては、乳幼児の足の筋肉のトレーニングにもなる。
【図面の簡単な説明】
【００２０】
【図１】本実施形態におけるバウンサーの斜視図である。
【図２】足蹴り台を含むバウンサー下部の拡大側面図である。
【図３】足蹴り台の分解正面図である。
【図４】足蹴り板と土台部の位置関係を表した側面図である。
【発明を実施するための形態】
【００２１】
本発明の実施形態について、図面に沿って詳細に説明する。図１には、本実施形態におけるバウンサーの斜視図を示している。このバウンサーは、乳幼児が座って揺動させることができるように構成されている。図１に示すように、バウンサーは、床面に載置される支持部２と、この支持部２に弾性的に支持されて揺動自在なシート部１と、シート部１の下部に設けられる足蹴り台３とを有している。
【００２２】
シート部１は、乳幼児の体全体を包み込むように保持できる形状に形成されており、傾斜状に支持されている。シート部１の周囲部には、全体形状を保持するためのフレーム部１０が設けられ、フレーム部１０に囲まれた領域を覆うように、座面部１１が設けられる。フレーム部１０は弾性を有する金属製のパイプ材などによって構成されており、座面部１１の周囲部によって覆われている。
【００２３】
座面部１１は、クッション材及び布材によって形成されている。座面部１１の中央部は、乳幼児の体を保持することができるように、凹状に形成されている。また、フレーム部１０及び座面部１１の下部は、後方に向かって反るような形状に形成されている。
【００２４】
支持部２は、金属からなるパイプ状の部材を略Ｕ字状としたＵ字型フレーム２０を有しており、シート部１を支持する側の端部には、面状に形成された下面部材１２が設けられている。シート部１は、下面部１２の上で弾性的に支持されている。このため、シート部１は、下端部を支点として上下方向に揺動させることができる。
【００２５】
足蹴り台３は、土台部３０の上に足蹴り板３１が固定されて構成されている。土台部３０は、直方体状の２つの土台部材３０ａを有し、土台部材３０ａは支持部２を構成する下面部材１２に対して固定されている。このため、土台部材３０ａの下面は若干持ち上がった状態となっており、土台部材３０ａの先端側端部には、下面の下部に板状のスペーサ部材３４が設けられている。
【００２６】
本実施形態では、土台部材３０ａや足蹴り板３１は、木材によって形成している。ただし、これらの材料は木材に限られず、樹脂材や金属材など他の材料を用いてもよい。
【００２７】
バウンサー下部の構成についてより詳細に説明する。図２には、足蹴り台３を含むバウンサー下部の拡大側面図を示している。この図に示すように、スペーサ部材３４は、土台部材３０ａの下面に対し、下方からネジ止め固定されている。また、支持部２を構成する下面部材１２も、土台部材３０ａの下面に対し、下方からネジ１４によってネジ止め固定されている。足蹴り台３は、このネジ１４によって支持部２に対し脱着自在に固定されている。足蹴り台３は、バウンサーに対して支持部２にのみ固定されているので、ネジ１４を外すことにより、足蹴り台３をバウンサーから取り外すことができる。乳幼児が成長すると、足蹴り台３は不要となるが、この際、足蹴り台３を容易に取り外すことができる。そして、足蹴り台３を取り外したバウンサーを、引き続き使用することができる。
【００２８】
支持部２を構成するＵ字型フレーム２０は、下面部材１２の土台部材３０ａに対し固定される側と反対側の端部に対して、ネジ止め固定されている。シート部１の下端部には、後上方に向かって伸びる金属製の弾性部材１３が設けられ、弾性部材１３の先端部は、支持部２に固定される保持部材２１に対して係合される。
【００２９】
保持部材２１は、複数、本実施形態では３つの溝部２１ａを有している。シート部１に設けられる弾性部材１３は、これら３つの溝部２１ａのいずれか１つに係合することで、シート部１が支持部２に支持された状態となる。弾性部材１３がどの溝部２１ａに係合するかによって、シート部１の傾斜角度が変化する。本実施形態では、溝部２１ａが３つ設けられているので、シート部１の傾斜角度を３段階に調整することができる。
【００３０】
足蹴り板３１は、板状の部材からなり、上面３１ａがシート部１の上方に向かって面するように傾斜状に配置されている。足蹴り板３１は、長孔状のスライド部３２ａを有する支持部材３２を介して、土台部３０に対しネジ部材３３により固定されている。
【００３１】
図３には、足蹴り台３の分解正面図を示している。この図に示すように、支持部材３２は、足蹴り板３１の下面に当接しネジ止め固定される固着部３２ｂを有している。支持部材３２は、足蹴り板３１の左右両側にそれぞれ固定され、各支持部材３２は、土台部材３０ａの側面に対して当接することができる。足蹴り台３を土台部３０に対して固定する際には、土台部材３０ａの側面に対して支持部材３２を当接させ、足蹴り板３１の高さ及び角度を調整した上で、ネジ部材３３により固定する。
【００３２】
図４には、足蹴り板３１と土台部３０の位置関係を表した側面図を示している。この図に示すように、ネジ部材３３による支持部材３２の固定位置は一定であり、ネジ部材３３の固定位置に対して、支持部材３２の角度を破線で示す支持部材３２’のように変化させることができる。これにより、支持部材３２’に支持された足蹴り板３１’の傾斜角度も変化させることができる。なお、支持部材３２の角度は、図４において実線や破線で示された角度に限らず、所定範囲内において任意の角度に調整することができる。
【００３３】
また、支持部材３２の長孔状に形成されたスライド部３２ａにより、ネジ部材３３に対して支持部材３２が固定される位置の高さを変更することもできる。すなわち、図４において破線で示す支持部材３２’’のように変化させることができる。これにより、支持部材３２’’に支持された足蹴り板３１’’の高さ位置も変化させることができる。なお、支持部材３２の高さ位置は、図４において実線や破線で示された高さに限らず、所定範囲内において任意の角度に調整することができる。
【００３４】
シート部１に座った乳幼児は、足を足蹴り板３１の上面３１ａに置くことができる。また、足蹴り板３１を足で蹴るようにすることで、その反力によりシート部１に座っている乳幼児の体が揺れ、それに伴いシート部１が支持部２に対して揺動する。これにより、脚の力が弱い乳幼児であっても、足蹴り板３１を蹴ることによって、シート部１を自分で容易に揺動させ、乳幼児が快適にバウンサーを使用することができる。また、乳幼児の足の筋肉のトレーニングにもなる。
【００３５】
また、足蹴り板３１は、スライド部３２ａを有する支持部材３２及びこれを固定するネジ部材３３の構成により、傾斜角度及び高さ位置の調整を行うことができるので、バウンサーに座る乳幼児の体型や身長などに応じて、その足を足蹴り板３１に置くことができるよう、調整することが可能である。これにより、バウンサーに座る乳幼児の足で確実に足蹴り板３１を蹴らせるようにすることができる。
【００３６】
以上、本発明の実施形態について説明したが、本発明の適用は上述の実施形態には限られず、その技術的思想の範囲内において様々に適用されうる。例えば、シート部１や支持部２の形状は、上述の実施形態には限られず、また、シート部１を支持部２で弾性的に支持する構造についても、他の構造を用いてもよい。
【００３７】
また、上述の実施形態では、２つの土台部材３０ａによって足蹴り板３１を支持するようにしているが、土台部３０は足蹴り板３１の上面３１ａがシート部１の上方を向くように支持できればよく、２つの土台部材３０ａによる支持構造には限られない。
【符号の説明】
【００３８】
１    シート部
２    支持部
３    足蹴り台
１０    フレーム部
１１    座面部
１２    下面部材
１３    弾性部材
１４    ネジ
２０    Ｕ字型フレーム
２１    保持部材
２１ａ  溝部
３０    土台部
３０ａ  土台部材
３１    足蹴り板
３１ａ  上面
３２    支持部材
３２ａ  スライド部
３２ｂ  固着部
３３    ネジ部材
３４    スペーサ部材
【図１】
2017000529.tif 000003
【図２】
2017000529.tif 000004
【図３】
2017000529.tif 000005
【図４】
2017000529.tif 000006